(57)【特許請求の範囲】
【請求項１】
囲碁の対局を鑑賞させるための囲碁の棋譜配信システムであって、
前記囲碁の棋譜配信システムにおけるサーバは、
対局者の対局における棋譜データを格納する棋譜格納手段と、
解説者の画像データと、解説文の文字データと解説用符号とを含む解説情報と、を格納する画像等格納手段と、
前記サーバの制御を行う制御手段と、を有しており、
前記制御手段は、
対局者の対局の棋譜データに基づく棋譜に基づく局面と該対局者に関する情報とを少なくとも表示する画面を、前記対局者の対局を鑑賞する鑑賞者が利用する端末において表示させ、
前記棋譜格納手段で新たな着手の棋譜データが更新されると、前記棋譜格納手段で更新した棋譜データを、前記端末に対して送信することで、新たな棋譜に基づく局面を前記画面に表示させ、
前記画像等格納手段に格納する解説者の画像データと解説情報とを送信することで、前記対局の解説者が解説を行った局面になると、前記画面における棋譜に基づく局面を表示したまま、該棋譜に基づく局面と同一画面内に前記解説者の画像データおよび解説文を表示させるとともに、自動再生を停止し、
前記解説用の符号を前記棋譜に基づく局面に重畳して表示させ、前記鑑賞者が前記画面で所定の操作を行うことで前記解説者の画像データおよび解説文を閉じ、自動再生を再開する、
ことを特徴とする囲碁の棋譜配信システム。
【請求項２】
前記制御手段は、さらに、
対局中の音声を同時に配信する、
ことを特徴とする請求項１に記載の囲碁の棋譜配信システム。
【請求項３】
前記制御手段は、さらに、
前記画面に、前記対局者の持ち時間、残り持ち時間、経過時間を表示させる、
ことを特徴とする請求項１または請求項２に記載の囲碁の棋譜配信システム。
【発明の詳細な説明】
【０００１】
【発明の属する技術分野】
本発明は囲碁の棋譜をオンラインで配信する囲碁の棋譜配信システムに関するものである。
【０００２】
【従来の技術】
従来、囲碁の棋譜をインターネット上で配信するシステムがある。これは、インターネット上に囲碁対局用サーバを備え、ユーザ同士がネットに接続された端末(コンピュータ)をサーバに接続して、コンピュータで所定の囲碁対局用プログラムを動作させ、碁盤を表示して対局できるシステムにおいて実現されている。
【０００３】
このようなシステムにおいては、対局者は、ネットに接続されたコンピュータ表示画面の碁盤上で碁石の打つ位置でマウスをクリックすることにより対局を進める。即ち1手ごとに碁石の位置でネットを介してサーバに送信し、サーバでは、仮想的な碁盤上での碁石を指定位置に配置した棋譜データ作成して対局者に送信する。対局者側では対局の状態を、配信された棋譜データをコンピュータプログラムで処理し、碁盤上の碁石の配置画像をコンピュータの表示画面に表示して対局を行う。
【０００４】
このようなシステムでは、第三者は現在対局中の盤面の状態を棋譜データとして受信し、対局者と同様にコンピュータの表示画面に表示し対局を鑑賞することができる。
【０００５】
【発明が解決しようとする課題】
しかしながら、従来の囲碁の棋譜配信システムでは、棋譜データのほかに特にサービスがなされていないのが現状であり、棋譜データの配信以外の付加サービスが望まれている。このような要望は、特に有名プロ棋士のタイトル戦等の対局において大きい。
【０００６】
そこで本発明は、斯かる実情に鑑み、様々な付加サービス囲碁の棋譜配信システムを提供しようとするものである。
【０００７】
【課題を解決するための手段】
本発明では以下の手段を上記の課題を解決するための手段とする。
【０００８】
請求項１に記載の発明は、囲碁の対局を鑑賞させるための囲碁の棋譜配信システムであって、前記囲碁の棋譜配信システムにおけるサーバは、対局者の対局における棋譜データを格納する棋譜格納手段と、解説者の画像データと、解説文の文字データと解説用符号とを含む解説情報と、を格納する画像等格納手段と、前記サーバの制御を行う制御手段と、を有しており、前記制御手段は、対局者の対局の棋譜データに基づく棋譜に基づく局面と該対局者に関する情報とを少なくとも表示する画面を、前記対局者の対局を鑑賞する鑑賞者が利用する端末において表示させ、前記棋譜格納手段で新たな着手の棋譜データが更新されると、前記棋譜格納手段で更新した棋譜データを、前記端末に対して送信することで、新たな棋譜に基づく局面を前記画面に表示させ、前記画像等格納手段に格納する解説者の画像データと解説情報とを送信することで、前記対局の解説者が解説を行った局面になると、前記画面における棋譜に基づく局面を表示したまま、該棋譜に基づく局面と同一画面内に前記解説者の画像データおよび解説文を表示させるとともに、自動再生を停止し、前記解説用の符号を前記棋譜に基づく局面に重畳して表示させ、前記鑑賞者が前記画面で所定の操作を行うことで前記解説者の画像データおよび解説文を閉じ、自動再生を再開する、囲碁の棋譜配信システムである。
【００１０】
請求項２に記載の発明において、前記制御手段は、さらに、対局中の音声を同時に配信する囲碁の棋譜配信システムである。
【００１１】
請求項３に記載の発明は、前記制御手段は、さらに、前記画面に、前記対局者の持ち時間、残り持ち時間、経過時間を表示させる、囲碁の棋譜配信システムである。
【００１７】
上記各発明によれば、鑑賞者のコンピュータの表示画面には棋譜のほか、持ち時間の状態、解説文、解説者の画像が表示され、更に対局者の会話、解説等が音声として流されるから、鑑賞者の興味が増す。
【００２０】
【発明の実施の形態】
以下本発明に係る囲碁の棋譜配信システムの実施の形態について説明する。図１乃至図６は本発明に係る囲碁の棋譜配信システムの実施の形態の第１例を示すものである。
【００２１】
本例に係る囲碁の棋譜配信システム１は、サーバ１０と、該サーバ１０にインターネット２で接続できる複数の端末とを備えたシステムを前提とする。そして、この例では、サーバ１０には、端末に対局中あるいは対局が終了した囲碁の棋譜データのほか、対局者の画像、持ち時間の状態、解説文、解説者の画像のデータが格納され、更に対局者の会話、解説等が音声データとして格納されているものである。
【００２２】
鑑賞者(利用者)は、手元の端末(コンピュータ)２０をインターネット２を介してサーバ１０が設けられているサイトに接続し、上記棋譜データ等のデータを自己の端末２０にダウンロードし、予めサーバからダウンロードしてインストールしている鑑賞ソフトウエアで、棋譜画面を含む所望の画面を端末ディスプレイに表示し、音声を再生するものである。
【００２３】
また、本例では、配信中の対局が現在対局中である場合には、棋譜及びその他の情報は変化があり次第サーバ１０側で更新するものとし、鑑賞者は、サーバ１０と端末とを常時接続することにより、対局の状態を略リアルタイムで鑑賞できる。
【００２４】
図１は、本発明に係る囲碁の棋譜配信システム１のシステム構成の概要を示すものである。この例では、インターネット２を介して端末２０はサーバ１０と接続された状態を示している。そして端末２０には鑑賞ソフトウエアがすでにインストールされている。また、図１では端末は１台しか示していないが、複数台の端末が同時に１台のサーバに接続されうる。
【００２５】
本例では、サーバ１０は、サーバ１０全体の制御を行う制御手段１１、インターネットへの通信制御を行う通信手段１２、画像表示を行う表示手段１３、棋譜データ、音声データ、画像データ、文字データの入力を行う入力手段１４、入力された棋譜データを格納する棋譜格納手段１５、音声データを格納する音声格納手段、対局者、解説者の写真等の画像データ、解説文等の文字データを格納する画像等格納手段１７、及び上記棋譜データ、音声データ、画像データ、文字データを端末に配信可能な所定の状態に編集する棋譜編集手段１８とを備えている。
【００２６】
本例では、棋譜データは対局者の対局の１打ごとにその配置データを、オペレータが入力手段１４から棋譜データとして棋譜格納手段１５に入力する。また、対局者の写真データ、消費持ち時間データ、音声データも入力手段から音声格納手段、画像等格納手段に格納される。
【００２７】
なお、棋譜の入力には、公知の自動入力の手法を用いることができる他、インターネット上での対局の場合はその棋譜データをまま取り込み格納することができる。
【００２８】
また、解説は、解説文書、解説音声、必要な符号を、解説者が解説を行った局面（手数）に連携させて解説者の写真と共に入力する。
【００２９】
一方端末２０は、端末２０全体の制御を行う制御手段２１、インターネットへの通信制御を行う通信手段２２サーバからインストールした棋譜データ、音声データ、画像データ、文字データを格納するデータ格納手段２３、棋譜や写真、文字の画像表示を行う表示手段２４、端末２０への入力を行う入力手段２５、及び上記データ格納手段が格納している棋譜データ、音声データ、画像データ、文字データを表示手段２４に表示、音声再生に可能な状態に展開する棋譜展開手段２６とを備えている。上記棋譜展開手段２６は、上記鑑賞ソフトウエアを実行することにより実現している。
【００３０】
次に本例に係る囲碁の棋譜配信システムの作動例を図２及び図３に基づいて説明する。現在対局中あるいは対局が終了した囲碁の鑑賞をしたい利用者は、鑑賞ソフトウエアを立ち上げて、端末２０をサーバ１０に接続する。具体的には、端末２０の電子メールリーダ、ＷＷＷブラウザを使ってサーバ１０へのリンクをクリックする（ＳＡ１）。
【００３１】
すると現在までの棋譜データ、対局者の画像(写真)データと音声データ、提供会社の公告バナー画像データがサーバから端末に送出され、図３に示すように、棋譜展開手段２６で展開された画像が端末２０の表示手段２４に画像３０として表示される（図３参照）。この例では画像３０には、色付の■印３２が付加された現在までの最終手を表示した棋譜画面３１、対局者の画像３３，３４、現在の番の表示３５、何手目であるかの表示３６、その他対局番名３７等の鑑賞画面が表示される（ＳＡ２）。
【００３２】
本例では、対局の途中から鑑賞を始めた場合には、１手目からの現在までの状態を自動的に再生できるものとし、その進行速さはメニューバー３８をクリックすることにより表示されるメニューで選択できるほか、スクロールバー３９を操作することにより、終了している任意の手数における棋譜等を表示することができる（ＳＡ３）。なお終局後にサーバからデータをインストールした場合でも同様に１手目から終局まで自動再生し、任意の手数の棋譜等を再生できる。
【００３３】
本例では、対局者が次の一手を打ち対局中継オペレータが次の一手を入力すると(ＳＡ４)、サーバ１０の棋譜格納手段１５は更新される。なお、インターネット対局の場合には対局者が端末画面をクリックして次の手を入力するとサーバの棋譜格納手段が自動的に更新されるものとする。
【００３４】
すると、サーバ１０からインターネット接続中の全鑑賞者の端末２０に送信され、各端末のデータ格納手段の内容は自動的に最新情報に更新される(ＳＡ５)。
【００３５】
端末では、この更新された最新のデータに基づいて、棋譜画面３１、対局者の画像３３，３４、現在の番の表示３５、何手目であるかの表示３６、棋譜画面３１等の表示が更新される(ＳＡ６)。
【００３６】
この処理が終局まで繰り返され（ＳＡ４〜ＳＡ７）中継表示処理は終了する。
【００３７】
本例によれば、中継鑑賞画面には、両対局者の画像が表示され、音声を流す等の多彩なサービスを提供することができるので、鑑賞者の興味が深まる。
【００３８】
また、画像データ等は随時更新できるため最新のものに、例えば対局当日の対局者画像、音声を配信でき、更に鑑賞者の興味を引く。
【００３９】
次に本例に係る囲碁の棋譜解説システムの作動例を図４乃至図６に基づいて説明する。現在対局中あるいは対局が終了した囲碁の解説を参照したい利用者は、鑑賞ソフトウエアを立ち上げて、端末２０をサーバ１０に接続する。具体的には、端末２０の電子メールリーダ、ＷＷＷブラウザを使ってサーバ１０へのリンクをクリックする（ＳＢ１）。
【００４０】
すると現在までの棋譜データ、解説データ、解説者の画像(写真)データと音声データ、提供会社の公告バナー画像データがサーバから端末に送出され、棋譜展開手段２６で展開された棋譜画像が端末表示手段２４に画像４０として表示される。
【００４１】
この例では画像４０には、第２７手までの棋譜を表示した棋譜画面４１、対局者の紹介４２、４３、何手目であるかの表示４４等の鑑賞画面が表示される（ＳＢ２）。この画面でも上述したような自動再生が可能である（ＳＢ３）。
【００４２】
そして、解説個所になると図６に示すように、画面は解説画面５０となる。この解説画面では、棋譜画面５１の右側に隣接して解説枠５４が表示され、自動再生が停止する。解説枠５４には、解説者の画像５５と解説文章５６が表示され、解説者の音声が流れる。また棋譜画面５１上には、碁石のほか解説用の「Ａ」、「Ｂ」等の符号５２，５３、最終手を示す色付■５４が表示されている(ＳＢ５)。
【００４３】
更に本例では、メニューボタンをクリックすることにより、棋譜画面を分割表示(本図と解説図とのそれぞれ左半分など)することができ、解説をより分かりやすく表示することができる(ＳＢ６)。
【００４４】
そして、利用者が解説閉じるボタンを選択すると、解説画面を閉じ、次の解説個所まで再び自動再生が行われる(ＳＢ７)。
【００４５】
この処理が終局まで繰り返され（ＳＢ３〜ＳＢ８）棋譜解説処理は終了する。
【００４６】
本例によれば、中継鑑賞画面には、解説者の画像が表示され、音声を流す等の多彩なサービスを提供することができるので、解説参照者の興味が深まる。
【００４７】
次に電子メールを使用したシステムについて説明する。このシステムは、予め会員登録した端末２０に対してホスト１０が電子メールを配信し、端末２０ではこの電子メールに記述されたWWWアドレス（URL）を一回クリックするだけで直接希望する対局の棋譜を観戦できるようにしたものである。
【００４８】
本例は、図７に示すように、端末２０からの会員申し込み（SＣ１）に対して、ホスト１０で認証手続（メールアドレス、ＩＤ番号、パスワードの確認等）を行った後（ＳＣ２）、会員登録を行う（ＳＣ４）。そして会員となったもののメールアドレスをメーリングリストに登録し、対局者、棋譜データ対局内容の更新等の、棋譜データの内容の変更に応じて、会員に対して新たなメールを作成し（ＳＣ５）、これをメーリングリストに登録されたものに対しては配信する（ＳＣ６）。
【００４９】
メールが配信された会員は、メールをメールリーダソフトで受信し（ＳＣ７）、必要に応じてメールに記載された事項中のＵＲＬをクリック（ＳＣ８）することで、ホストのホームページのＵＲＬに接続するか、更には会員が観戦したい対局を中継するＵＲＬに接続する（ＳＣ９）。
【００５０】
これによりホスト１０は、端末２０に対して上述したような棋譜データを送出し（ＳＣ１０）、端末（２０）はこの棋譜データに基づき上記のような内容を表示する。
【００５１】
なお、本発明の囲碁の棋譜配信システムは、棋譜の中継表示と解説表示とを別々の処理として説明したが、これらの処理を一つのサービスとして統合して実施することができることはもちろんである。
【００５２】
また、本発明は、上述の実施の形態例にのみ限定されるものではなく、本発明の要旨を逸脱しない範囲内において種々変更を加え得ることはもちろんである。
【００５３】
以上、説明したように本発明の囲碁の棋譜配信システムによれば、鑑賞者の端末の表示画面には、棋譜のほか、持ち時間の状態、解説文、解説者の画像が表示され、更に対局者の会話、解説等が音声として流されるから、囲碁鑑賞者の興味が深まるという効果を奏する。
【図面の簡単な説明】
【図１】本発明の第１の実施の形態に係る囲碁の棋譜配信システムの構成の概要を示すブロック図である。
【図２】図１に示した囲碁の棋譜配信システムの中継表示の処理を示すフローチャートである。
【図３】図1に示した囲碁の棋譜配信システムの中継処理中の鑑賞者端末での表示画面の一例を示す図である。
【図４】図1に示した囲碁の棋譜配信システムの棋譜解説表示の処理を示すフローチャートである。
【図５】図1に示した囲碁の棋譜配信システムの棋譜解説処理中の鑑賞者端末での表示画面の一例を示す図である。
【図６】図1に示した囲碁の棋譜配信システムの中継処理中の鑑賞者端末での表示画面の一例を示す図である。
【図７】本発明に係る囲碁の棋譜配信システムの他の実施の形態の処理を示すフローチャートである。
【符号の説明】
１  棋譜配信システム
２  インターネット
１０  サーバ
１２  通信手段
１３  表示手段
１４  入力手段
１５  棋譜格納手段
１７  画像等格納手段
１８  棋譜編集手段
２０  端末
２１  制御手段
２２  通信手段
２３  データ格納手段
２４  表示手段
２５  入力手段
２６  棋譜展開手段
【図１】
0004743564.tif 000002
【図２】
0004743564.tif 000003
【図３】
0004743564.tif 000004
【図４】
0004743564.tif 000005
【図５】
0004743564.tif 000006
【図６】
0004743564.tif 000007
【図７】
0004743564.tif 000008